(57)【要約】【課題】全高を抑えた自走式リサイクル機械および自走式土質改良機を提供する。【解決手段】上部開口１１０ａと下部開口１２０ａとが平行ではないシュート１００において、右側壁面１３１および左側壁面１３２をシュート１００の外側に向かって折り曲げることで形成される二つの平面で構成した。これにより、従来のシュートのように立ち上がり部を設ける必要がなくなるので、シュート全体の高さを抑えることができ、ひいては、自走式リサイクル機械および自走式土質改良機の全高を低くできる。【選択図】図５
2010070986.tif 000002
【特許請求の範囲】
【請求項１】
走行装置と、処理装置と、シュートとを備え、前記走行装置によって自走する自走式リサイクル機械において、
前記シュートは、
第１の壁面、第２の壁面および第３の壁面と、
少なくともこれら第１の壁面、第２の壁面および第３の壁面によって上方に形成された略方形の開口部を有する導入部と、
前記導入部よりも下方で前記導入部を形成する平面に対して傾斜して互いに対向する第１および第２の辺と、前記第１および第２の辺の両端のうち前記導入部に近い一方端同士を結ぶ第３の辺とを含む辺から形成される排出部とを備え、
前記第１の壁面は、前記第１の辺を含む壁面より成り、
前記第２の壁面は、前記第２の辺を含む壁面より成り、
前記第３の壁面は、前記第３の辺を含む壁面より成り、
前記第１の壁面は、前記第１の辺を含む第１面と、前記第１面と交差するように延在し前記第１面と比較して傾斜角度が大きく設定された第２面とを含み、前記第１面と前記第２面とによって前記シュートの外側に向かって突出するように形成され、
前記第１面と前記第２面の交線は、前記第１の辺における両端のうち前記導入部から遠い他方端近傍から前記第３の壁面における側の前記導入部近傍に向かって延在していることを特徴とする自走式リサイクル機械。
【請求項２】
請求項１の自走式リサイクル機械において、
前記導入部の開口部は略水平であることを特徴とする自走式リサイクル機械。
【請求項３】
請求項１または請求項２に記載の自走式リサイクル機械において、
前記排出部の下方に、前記シュートで導かれた被誘導物を搬送する搬送装置をさらに備えることを特徴とする自走式リサイクル機械。
【請求項４】
請求項３に記載の自走式リサイクル機械において、
前記搬送装置は、前記シュートで導かれた被誘導物を前記第１および第２の辺の延在方向に沿って搬送することを特徴とする自走式リサイクル機械。
【請求項５】
請求項１〜４のいずれか一項に記載の自走式リサイクル機械において、
前記第１面の面積は、前記第２面の面積よりも小さいことを特徴とする自走式リサイクル機械。
【請求項６】
走行装置と、
前記走行装置上に設けられた本体フレームと、
前記本体フレーム上の一方側に設けられ動力源を内部に備えた動力装置と、
前記本体フレーム上の他方側に設けられ土砂を受け入れる土砂ホッパと、
前記本体フレーム上の中央部分に設けられ土質改良材を貯留する土質改良材ホッパと、
前記本体フレーム上における土質改良材ホッパの下方に設けられ土砂と土質改良材とを撹拌混合する混合装置と、
前記混合装置の下方に基端部が取り付けられ、前記動力装置の外側に他端部が位置するように傾斜して設けられた排出コンベアとを備えた自走式土質改良機において、
前記土質改良材ホッパの下側には、シュートを介してスクリューフィーダが取り付けられ、
前記シュートは、四方を取り囲むように形成された４つの壁面を有し、これらの４つの壁面に傾斜を持たせ、上方の導入部の開口面積に対して下方の排出部の開口面積が小となるように設定し、
前記４つの壁面のうち車体の幅方向側に設けられた一対の第１の壁面と、
前記４つの壁面のうち車体の前後方向側に設けられた一対の第２の壁面とを有し、
前記第１の壁面を第３の壁面と、前記第３の壁面と比較して傾斜角度が大きく設定された第４の壁面とによって構成し、
前記第３の壁面を前記第２の壁面のうち１つと隣接する位置に設け、互いの面のなす角度が鈍角となるように前記第２の壁面と前記第３の壁面との境界を形成した第１の境界線と、
前記第４の壁面を前記第２の壁面のうちの１つと隣接する位置に設け互いの面との境界に形成した第２の境界線とを有し、
前記第１の境界線の上端から前記第２の境界線の下端にかけて延びる前記第１の壁面の対角線が前記第３の壁面と前記第４の壁面との第３の境界線を形成し、
前記第４の壁面を、前記第３の壁面に対し面積比率が大となるように設定し、
前記スクリューフィーダは、
螺旋形状のスクリューを、内部に備えた筒状のケースを有し、
前記ケースの上流側には前記シュートの下部に接続された導入口を備え、
前記ケースの下流側には排出口を備え、
前記第２および第３の境界線の一端を、前記導入口における上流側に臨む位置に設け、かつ前記第２および第３の境界線の他端を、前記シュートの導入部に臨む位置に設けたことを特徴とする自走式土質改良機。
【発明の詳細な説明】
【技術分野】
【０００１】
本発明は、被処理物を処理する自走式のリサイクル機械および土質改良機に関する。
【背景技術】
【０００２】
被処理物を処理するリサイクル作業機として、たとえば自走式の土質改良機が知られている。この土質改良機では、処理すべき土砂に土質改良材を添加して混合することで土砂を改質している。そのため、この土質改良機では、ホッパに貯蔵された土質改良材をシュートを介してスクリューフィーダへ導き、スクリューフィーダで搬送している（特許文献１参照）。
【０００３】
一般に、シュートは、排出部から導入部にかけて広がりを有する円錐または角錐状に形成されている。導入部の開口は方形状または円状に形成されることが多い。また、排出部は、スクリューフィーダなどの搬送機との接続のために開口部分を略方形状に形成することが望ましい。しかし、たとえば、搬送物を斜め上方に搬送するように搬送機を傾斜させて設置した場合のように、導入部の方形状の開口と排出部の方形状の開口とが平行とならない場合には、導入部の開口を構成する一部の辺と、排出部の開口を構成する一部の辺とが平行とならずにねじれの位置となり、これらの辺を含むシュートの壁面を単一平面で構成できない。
【０００４】
そのため、排出部側のシュートの壁面を導入部の開口と平行となる部分でシュートの外側に折り曲げ、この折り曲げた部分から搬送機までを垂直な壁面で接続するようにしている（たとえば特許文献２参照）。
【０００５】
【特許文献１】特開２００３−１０５８０２号公報
【特許文献２】特開平６−１７３２９４号公報
【発明の開示】
【発明が解決しようとする課題】
【０００６】
しかし、上述したように、排出部側のシュートの壁面を導入部の開口と平行となる部分で折り曲げ、この折り曲げた部分から搬送機までを垂直な壁面で接続すると、垂直な壁面の高さ分がシュート全体の高さを高くしてしまう。本発明の目的は、シュート全体の高さが高くなることを抑えながら、円滑に排出できるシュートを有した自走式リサイクル機械を提供することにある。
【課題を解決するための手段】
【０００７】
（１）  請求項１の発明による自走式リサイクル機械は、走行装置と、処理装置と、シュートとを備え、前記走行装置によって自走する自走式リサイクル機械において、シュートは、第１の壁面、第２の壁面および第３の壁面と、少なくともこれら第１の壁面、第２の壁面および第３の壁面によって上方に形成された略方形の開口部を有する導入部と、導入部よりも下方で導入部を形成する平面に対して傾斜して互いに対向する第１および第２の辺と、第１および第２の辺の両端のうち導入部に近い一方端同士を結ぶ第３の辺とを含む辺から形成される排出部とを備え、第１の壁面は、第１の辺を含む壁面より成り、第２の壁面は、第２の辺を含む壁面より成り、第３の壁面は、第３の辺を含む壁面より成り、第１の壁面は、第１の辺を含む第１面と、第１面と交差するように延在し第１面と比較して傾斜角度が大きく設定された第２面とを含み、第１面と第２面とによってシュートの外側に向かって突出するように形成され、第１面と第２面の交線は、第１の辺における両端のうち導入部から遠い他方端近傍から第３の壁面における側の導入部近傍に向かって延在していることを特徴とする。
（２）  請求項２の発明は、請求項１の自走式リサイクル機械において、導入部の開口部は略水平であることを特徴とする。
（３）  請求項３の発明は、請求項１または請求項２に記載の自走式リサイクル機械において、排出部の下方に、シュートで導かれた被誘導物を搬送する搬送装置をさらに備えることを特徴とする。
（４）  請求項４の発明は、請求項３に記載の自走式リサイクル機械において、搬送装置は、シュートで導かれた被誘導物を第１および第２の辺の延在方向に沿って搬送することを特徴とする。
（５）  請求項５の発明は、請求項１〜４のいずれか一項に記載の自走式リサイクル機械において、第1面の面積は、第２面の面積よりも小さいことを特徴とする。
（６）  請求項６の発明による自走式土質改良機は、走行装置と、走行装置上に設けられた本体フレームと、本体フレーム上の一方側に設けられ動力源を内部に備えた動力装置と、本体フレーム上の他方側に設けられ土砂を受け入れる土砂ホッパと、本体フレーム上の中央部分に設けられ土質改良材を貯留する土質改良材ホッパと、本体フレーム上における土質改良材ホッパの下方に設けられ土砂と土質改良材とを撹拌混合する混合装置と、混合装置の下方に基端部が取り付けられ、動力装置の外側に他端部が位置するように傾斜して設けられた排出コンベアとを備えた自走式土質改良機において、土質改良材ホッパの下側には、シュートを介してスクリューフィーダが取り付けられ、シュートは、四方を取り囲むように形成された４つの壁面を有し、これらの４つの壁面に傾斜を持たせ、上方の導入部の開口面積に対して下方の排出部の開口面積が小となるように設定し、４つの壁面のうち車体の幅方向側に設けられた一対の第１の壁面と、４つの壁面のうち車体の前後方向側に設けられた一対の第２の壁面とを有し、第１の壁面を第３の壁面と、第３の壁面と比較して傾斜角度が大きく設定された第４の壁面とによって構成し、第３の壁面を第２の壁面のうち１つと隣接する位置に設け、互いの面のなす角度が鈍角となるように第２の壁面と第３の壁面との境界を形成した第１の境界線と、第４の壁面を第２の壁面のうちの１つと隣接する位置に設け互いの面との境界に形成した第２の境界線とを有し、第１の境界線の上端から第２の境界線の下端にかけて延びる第１の壁面の対角線が第３の壁面と第４の壁面との第３の境界線を形成し、第４の壁面を、第３の壁面に対し面積比率が大となるように設定し、スクリューフィーダは、螺旋形状のスクリューを、内部に備えた筒状のケースを有し、ケースの上流側にはシュートの下部に接続された導入口を備え、ケースの下流側には排出口を備え、第２および第３の境界線の一端を、導入口における上流側に臨む位置に設け、かつ第２および第３の境界線の他端を、シュートの導入部に臨む位置に設けたことを特徴とする。
【発明の効果】
【０００８】
本発明によれば、シュートの高さを低くできるので、自走式リサイクル機械および自走式土質改良機の全高を低くできる。
【発明を実施するための最良の形態】
【０００９】
以下、本発明の自走式リサイクル機械の一例としての自走式土質改良機の一実施の形態を図面を用いて説明する。自走式土質改良機とは、たとえば、建設現場等で発生する建設発生土を、現場内で固化材（土質改良材）とともに混合処理してリサイクル用の改良土製品を生成するといった建設発生土改良、或いは、宅地建設用地等の表層を掘削した土砂をその場で改質し、地盤強化のために表層に埋め戻す改良土を生成したり、道路建設用地等で現場内の所定の箇所を掘削して得た土砂をその場で改質し、路床材として敷設する改良土を生成するといった表層地盤安定化処理等に広く用いられるものである。
【００１０】
図１は本発明の自走式土質改良機の一実施の形態の全体構造を表す側面図、図２はその上面図である。これら図１および図２において、１は走行体で、この走行体１は、左・右１対の走行装置２と、この走行装置２の上部に略平行に延設した１対の本体フレーム３とで構成されている。また、４は走行装置２のトラックフレームで、このトラックフレーム４は、本体フレーム３の下部に連設している。５，６はそれぞれこのトラックフレーム４の両端に設けた従動輪（アイドラ）および駆動輪、７はこれら従動輪５および駆動輪６に掛け回した履帯（無限軌道履帯）、８は駆動輪６に直結した駆動装置である。９ａ，９ｂは本体フレーム３上に複数立設した支持ポストで、これら支持ポスト９ａ，９ｂは、支持フレーム１０，１１を支持している。
【００１１】
１２は投入される土砂を粒度に応じて選別する篩装置で、この篩装置１２は内部に装着した所定の目の大きさの格子１２Ａ（図２参照）を備え、支持フレーム１０長手方向一方側（図１中左側）上部にばね１３を介して振動可能に支持されている。これにより、格子１２Ａの目の大きさよりも大きなものを除去し、小さなものを下方へ導くようになっている。１４は篩装置１２への土砂投入性に配慮して設けた煽りである。１５は篩装置１２で選別された土砂を受け入れるホッパで、このホッパ１５は、上方拡開の概略枠型形状をしており、篩装置１２の略直下に位置するように上記支持フレーム１０により支持されている。
【００１２】
１６はこのホッパ１５で受け入れた土砂を搬送する搬送コンベアで、この搬送コンベア１６は、ホッパ１５の下方から後述する混合装置７３の上方にかけて上り傾斜に延設されている。１６Ａはこの搬送コンベア１６のコンベアフレームで、このコンベアフレーム１６Ａは、上記支持ポスト９ａ，９ｂに支持されている。１７Ａ，１７Ｂはそれぞれこのコンベアフレーム１６Ａの両端に設けた駆動輪および従動輪、１８はこれら駆動輪１７Ａおよび従動輪１８Ｂに掛け回した搬送ベルト、１９はこの搬送ベルト１８の搬送面を支持する複数の支持ローラである。なお、駆動輪１７Ａには、この駆動輪１７Ａを駆動して搬送ベルト１８を循環駆動させる図示しない駆動装置が連結されている。
【００１３】
２０はこの搬送コンベア１６上の土砂に粉体状や顆粒状の土質改良材を添加する土質改良材供給装置で、この土質改良材供給装置２０は、水平断面が略方形の土質改良材の貯留タンク（固化材ホッパ）２１と、この貯留タンク２１内の土質改良材を下方に導出するスクリューフィーダ２２と、貯留タンク２１内の土質改良材をスクリューフィーダ２２に導く漏斗の役割を果たすシュート１００とで構成されている。土質改良材供給装置２０やシュート１００については後に詳述する。
【００１４】
スクリューフィーダ２２は、筒状のケースの内部に設けられた不図示のスクリューの回転によって土砂改良材を土砂に添加する供給装置である。シュート１００の下部に接続された導入口から導入した土質改良材を図１中左方向（搬送コンベア１６の搬送方向と反対方向）に移送し、左方下部に設けた排出口（導出口）から、搬送コンベア１６の搬送方向下流側（図１中右側）端部付近を搬送される土砂に、土質改良材を一定量ずつ添加する。なお、本実施の形態の自走式土質改良機は公道をトレーラ等に載せて運搬する都合上、高さを低く抑える必要がある。そのため、土質改良材供給装置２０の配設高さを低くするために、スクリューフィーダ２２は、土質改良材の導入部側（導入口側）が低く、導出口側が高くなるように傾斜して配設されている。
【００１５】
なお、図示はしないが、スクリューフィーダ２２のスクリューのピッチは、その移送方向上流側に対し、移送方向下流側が大きくなっている。これにより、スクリューの移送方向上流側で土質改良材が満たされても、移送とともに、スクリューの移送方向下流側に土質改良材を受け入れるスペースが徐々に創出され、シュート１００の下部開口からスクリューフィーダ２２への土質改良材の導入をいわゆるマスフローの状態とすることができる。したがって、土質改良材のスクリューフィーダ２２への円滑な導入を実現することができる。
【００１６】
図２において、６８は自走式土質改良機の片側（図２中上側）に設けたクレーンで、このクレーン６８は、上記自走式土質改良機幅方向一方側（図２中上側）の本体フレーム３に取り付けた支持台６９上に設けられている。このクレーン６８は、支持台６９から上方に立設した支持部６８Ａと、この支持部６８Ａに基端部が枢支接続され長手方向に伸縮するとともに略水平に旋回するアーム６８Ｂと、このアーム６８Ｂを俯仰動させるシリンダ６８Ｃと、アーム６８Ｂ先端に設けたウィンチ６８Ｄとを備えている。通常、貯留タンク２１内に土質改良材を充填する際には、上部の開閉蓋２７を開け、このクレーン６８によりフレキシブルコンテナを吊り上げて土質改良材受入口２６に挿入するようになっている。クレーン６８で土質改良材受入口２６に挿入されたフレキシブルコンテナは、自重により図示しないカッタに押し付けられて底部を切り裂かれ、ここから貯留タンク２１内に土質改良材を流出するようになっている。
【００１７】
図１，２に示すように、７３は搬送コンベア１６から導入された土砂および土質改良材を混合して改良土を生成する混合装置である。混合装置７３は、上記スクリューフィーダ２２の下方に位置するように、本体フレーム３の長手方向略中央に支持されている。混合装置７３は、たとえば不図示の回転軸に放射状に複数設けたパドルによって土砂および土質改良材を撹拌混合するパドルミキサである。
【００１８】
混合装置７３は、搬送コンベア１６から投入された土砂および土質改良材を不図示のパドルにより混合して改良土としつつ図１における左方から右方へ移送し、図１における右方の出口から下方に導出する。
【００１９】
８４は混合装置７３から導出された改良土を機外に排出する排出コンベアである。排出コンベア８４は、混合装置７３の図１における右方の出口の下方から長手方向他方側（図１中右側）に向かって所定距離略水平に延在した後、混合装置７３の駆動装置８２下方辺りから上り傾斜に延在している。８５はこの排出コンベア８４のコンベアフレームで、このコンベアフレーム８５は、図示しない支持部材を介し、後述の動力装置８６や本体フレーム３等から支持されている。８７はこの排出コンベア８４の搬送方向下流側（図１中右側）端部に設けた駆動輪、８８はこの駆動輪８７及び排出コンベア８４の搬送方向上流側（図１中左側）に設けた図示しない従動輪に掛け回した搬送ベルトである。また、８９は駆動輪８７に直結した駆動装置（図２参照）で、この駆動装置８９により、駆動輪８７を回転駆動して搬送ベルト８８を循環駆動させるようになっている。なお、９０は排出コンベア８４のサイドカバーで、このサイドカバー９０は、コンベアフレーム８５の幅方向（図２中上下方向）両側上部に設けられている。
【００２０】
上記動力装置８６は、以上説明してきた各機器の駆動装置の動力源としてのエンジン、このエンジンに駆動される少なくとも１つの油圧ポンプ、この油圧ポンプから各駆動装置へ供給される圧油を制御する複数のコントロールバルブ等を備えたもので、本体フレーム３の長手方向他方側（図１中右側）端部に支持部材９１を介して支持されている。また、図２において、９２はこの動力装置８６の前方側（図２中左側）の区画に設けられた運転席で、この運転席９２には、上記走行装置２を操作する１対の操作レバー９３および他の各機器を操作する操作盤９４が備えられている。
【００２１】
以上のように、本実施の形態においては、篩装置１２、ホッパ１５、搬送コンベア１６、土質改良材供給装置２０、混合装置７３、排出コンベア８４、動力装置８６等の各機器を走行体１上に集約配置している。
【００２２】
次に、上記構成の本実施の形態の自走式土質改良機の動作を説明する。たとえば油圧ショベル等によりホッパ１５に改質対象となる土砂を投入すると、ホッパ１５で受け入れられた土砂は、その下方の搬送コンベア１６上に載置され搬送される。土質改良材供給装置２０は、その貯留タンク２１内の土質改良材をスクリューフィーダ２２により、搬送コンベア１６で搬送される土砂に一定量ずつ供給していく。そして、搬送コンベア１６により混合装置７３に導入された土砂および土質改良材は、混合装置７３で均一に攪拌混合され、排出コンベア８４上に改良土として導出される。この改良土は排出コンベア８４により搬送され、最終的に自走式土質改良機外に排出される。
【００２３】
−−−土質改良材供給装置２０−−−
図３は土質改良材供給装置２０の側面図である。土質改良材供給装置２０は、土質改良材を受け入れて貯蔵する貯留タンク（ホッパ）２１と、ホッパ２１の下部に設けられたシュート１００と、シュート１００の下部に設けられたスクリューフィーダ２２とを備えている。上述したように、公道走行時の自走式土質改良機の高さを低く抑える必要があるが、土砂の処理時には土質改良材を貯蔵するため、ホッパ２１は、上下方向に伸縮可能となるように、柔軟な素材（たとえばポリエチレン系ゴム材料）により、蛇腹状に形成されている。
【００２４】
図４は、図３のＩＶ−ＩＶ矢視図であり、シュート１００を上方から見た平面図である。図５はシュート１００の斜視図であり、図６はシュート１００の側面図であり、図７はシュート１００の底面図であり、図８は図６のＡ矢視断面図である。シュート１００は、上述したようにホッパ２１内の土質改良材をスクリューフィーダ２２に導くシュートであり、上部の導入部１１０と、下部の導出部１２０とを有する。導入部１１０は、ホッパ２１の下部に接続されて土質改良材を受け入れる部位であり、略方形の略水平な開口（上部開口）１１０ａを有する。説明の便宜上、上部開口１１０ａを構成する４辺のうち、スクリューフィーダ２２の搬送方向に沿って延在する辺で、図４における図示上方に位置する辺（縁部）を上部第１辺１１１と呼び、図示下方に位置する辺（縁部）を上部第２辺１１２と呼ぶ。また、スクリューフィーダ２２の搬送方向下流側に位置する辺（縁部）を上部第３辺１１３と呼び、スクリューフィーダ２２の搬送方向上流側に位置する辺（縁部）を上部第４辺１１４と呼ぶ。
【００２５】
導出部１２０は、スクリューフィーダ２２に接続されて土質改良材をスクリューフィーダ２２のケーシング内部に導くための部位であり、略長方形の開口（下部開口）１２０ａを有する。下部開口１２０ａは、その長辺がスクリューフィーダ２２の搬送方向に延在するように設けられている。説明の便宜上、下部開口１２０ａを構成する４辺のうち、スクリューフィーダ２２の搬送方向に沿って延在する辺で、図４における図示上方に位置する辺（縁部）を下部第１辺１２１と呼び、図示下方に位置する辺（縁部）を下部第２辺１２２と呼ぶ。また、スクリューフィーダ２２の搬送方向下流側に位置する曲線状の辺（曲線状の縁部）を下部第３辺１２３と呼び、スクリューフィーダ２２の搬送方向上流側に位置する曲線状の辺（曲線状の縁部）を下部第４辺１２４と呼ぶ。
【００２６】
また、説明の便宜上、スクリューフィーダ２２の搬送方向に沿って延在する２つのシュート壁面（自走式土質改良機の車体の幅方向側に設けられた一対の壁面）のうち、スクリューフィーダ２２の搬送方向に向かって見たときに右側（図4における図示上側）となるシュート壁面を右側壁面１３１と呼び、スクリューフィーダ２２の搬送方向に向かって見たときに左側（図4における図示下側）となるシュート壁面を左側壁面１３２と呼ぶ。また、自走式土質改良機の車体の前後方向側に設けられた一対の壁面のうち、スクリューフィーダ２２の搬送方向下流側のシュート壁面を下流側壁面１３３と呼び、スクリューフィーダ２２の搬送方向上流側のシュート壁面を上流側壁面１３４と呼ぶ。
【００２７】
スクリューフィーダ２２の搬送方向および搬送方向とは直交する方向に関して、下部開口１２０ａの幅は上部開口１１０ａの幅よりも狭い。すなわち、シュート１００は、上部開口１１０ａから下部開口１２０ａに向かって窄まるように略錐状に形成されている。上述したようにスクリューフィーダ２２が搬送方向側（下流側）が上方となるように傾斜しているため、下部開口１２０ａもスクリューフィーダ２２の下流側が上流側よりも上方に位置するように傾斜している。したがって、上部開口１１０ａと下部開口１２０ａとは平行ではない。すなわち、上部第１辺１１１および上部第２辺１１２と、下部第１辺１２１および下部第２辺１２２とはねじれの位置にある。
【００２８】
このように、上部第１辺１１１および上部第２辺１１２と、下部第１辺１２１および下部第２辺１２２とがねじれの位置にあるため、上部第１辺１１１と下部第１辺１２１とを含むシュート壁面（すなわち右側壁面１３１）、および、上部第２辺１１２と下部第２辺１２２とを含むシュート壁面（すなわち左側壁面１３２）を単一平面で構成できない。そのため、従来のシュートでは、図９，１０に示すように、上部の開口と平行となる部分ができるように、本実施の形態のシュート１００の下部開口１２０ａに相当する部分（スクリューフィーダ２２のケーシングとの接続部）から垂直に立ち上がる部分（図示立ち上がり部）を設けている。なお、図９は従来のシュートの側面図であり、図１０は図９のＢ矢視断面図である。
【００２９】
しかし、従来のシュートのように立ち上がり部を設けると、シュート全体の高さが高くなってしまうため、機器全体の高さが高くなってしまう。また、シュート全体の高さを抑えようとすると、シュート壁面で傾斜している部分（図示傾斜部）の傾斜角度が小さくなるため、シュートにおける粉流体の流れが悪化する。シュート全体の高さを抑え、かつ、シュートの傾斜角度を確保すると、シュートの導入部の径が小さくなるためシュート上のホッパの径も小さくせざるを得ず、必要なホッパ容量を確保できない。
【００３０】
そこで、本実施の形態のシュート１００では、右側壁面１３１および左側壁面１３２をシュート１００の外側に向かって折り曲げることで形成される二つの平面で構成した。すなわち、右側壁面１３１を構成する２つの面のうち、一方の面（右側壁面第１面１３１ａ）には下部第１辺１２１と、下流側壁面１３３との交線とが含まれるように、他方の面（右側壁面第２面１３１ｂ）には、上部第1辺１１１と、上流側壁面１３４との交線とが含まれるように構成した。同様に、左側壁面１３２を構成する２つの面のうち、一方の面（左側壁面第１面１３２ａ）には下部第２辺１２２と、下流側壁面１３３との交線とが含まれるように、他方の面（左側壁面第２面１３２ｂ）には、上部第２辺１１２と、上流側壁面１３４との交線とが含まれるように構成した。
【００３１】
右側壁面第１面１３１ａと右側壁面第２面１３１ｂとの交線を右側壁面稜線１３１ｃと呼び、左側壁面第１面１３２ａと左側壁面第２面１３２ｂとの交線を左側壁面稜線１３２ｃと呼ぶ。なお、下流側壁面１３３は、上部第３辺１１３と下部第３辺１２３とを含む平面で構成され、上流側壁面１３４は、上部第４辺１１４と下部第４辺１２４とを含む平面で構成されている。
【００３２】
このように構成されるシュート１００は、図８，１０に示すように、右側壁面第２面１３１ｂおよび左側壁面第２面１３２ｂの傾斜角度θ１が、従来のシュートの壁面傾斜角度θ３よりも大きくなる。なお、右側壁面第１面１３１ａおよび左側壁面第１面１３２ａの傾斜角度θ２は、右側壁面第２面１３１ｂおよび左側壁面第２面１３２ｂの傾斜角度θ１よりも小さい。しかし、後述するように、右側壁面第１面１３１ａおよび左側壁面第１面１３２ａの面積が、右側壁面第２面１３１ｂおよび左側壁面第２面１３２ｂの面積よりも小さいため、右側壁面第１面１３１ａおよび左側壁面第１面１３２ａの傾斜角度θ２が土質改良材の流れに与える影響は、右側壁面第２面１３１ｂおよび左側壁面第２面１３２ｂの傾斜角度θ１が土質改良材の流れに与える影響よりも小さい。したがって、シュート１００では、図９，１０に示すような従来のシュートに比べて、シュートで導かれる被誘導物である土質改良材の流れがよい。なお、本実施の形態のシュート１００では、右側壁面第２面１３１ｂおよび左側壁面第２面１３２ｂの傾斜角度θ１を上流側壁面１３４の傾斜角度と略等しくしているが、異なっていてもよい。
【００３３】
図４〜６から明らかなように、右側壁面第１面１３１ａおよび右側壁面第２面１３１ｂの面積を求める際の底辺に相当する右側壁面稜線１３１ｃは共通し、高さに相当する右側壁面稜線１３１ｃから対角までの距離は明らかに右側壁面第１面１３１ａの方が短い。そのため、右側壁面第１面１３１ａの面積は、右側壁面第２面１３１ｂの面積よりも小さくなる。右側壁面１３１と対称となる左側壁面１３２についても同様である。
【００３４】
ここで、右側壁面１３１および左側壁面１３２をシュート１００の内側に向かって折り曲げた場合について考える。図１１は、シュート１００の右側壁面１３１および左側壁面１３２に相当する面をシュート１００の内側に向かって折り曲げるようにして形成したシュート１５０を上方から見た平面図である。図１２はシュート１５０の斜視図であり、図１３はシュート１５０の側面図であり、図１４はシュート１５０の底面図であり、図１５は図１３のＣ矢視断面図である。なお、シュート１５０について、シュート１００と同様の部分には同じ符号を付して説明する。
【００３５】
スクリューフィーダ２２の搬送方向に沿って延在する２つのシュート壁面のうち、スクリューフィーダ２２の搬送方向に向かって見たときに右側となるシュート壁面を右側壁面１５１と呼び、スクリューフィーダ２２の搬送方向に向かって見たときに左側となるシュート壁面を左側壁面１５２と呼ぶ。
【００３６】
右側壁面１５１を構成する２つの面のうち、一方の面（右側壁面第１面１５１ａ）には下部第１辺１２１と、上流側壁面１３４との交線とが含まれるように、他方の面（右側壁面第２面１５１ｂ）には、上部第1辺１１１と、下流側壁面１３３との交線とが含まれるように構成した。同様に、左側壁面１５２を構成する２つの面のうち、一方の面（左側壁面第１面１５２ａ）には下部第２辺１２２と、上流側壁面１３４との交線とが含まれるように、他方の面（左側壁面第２面１５２ｂ）には、上部第２辺１１２と、下流側壁面１３３との交線とが含まれるように構成した。
【００３７】
右側壁面第１面１５１ａと右側壁面第２面１５１ｂとの交線を右側壁面稜線１５１ｃと呼び、左側壁面第１面１５２ａと左側壁面第２面１５２ｂとの交線を左側壁面稜線１５２ｃと呼ぶ。
【００３８】
このように構成されるシュート１５０は、右側壁面１５１および左側壁面１５２をシュート１５０の内側に向かって折り曲げた形状を呈する。シュート１５０は、図８，１５に示すように、右側壁面第１面１５１ａおよび左側壁面第１面１５２ａの傾斜角度θ４が、上述したシュート１００の壁面傾斜角度θ１よりも若干大きくなる。なお、右側壁面第２面１５１ｂおよび左側壁面第２面１５２ｂの傾斜角度θ５は、右側壁面第１面１５１ａおよび左側壁面第１面１５２ａの傾斜角度θ４よりも小さく、上述したシュート１００の傾斜角度θ２と同程度である。しかし、後述するように、右側壁面第１面１５１ａおよび左側壁面第１面１５２ａの面積が、右側壁面第２面１５１ｂおよび左側壁面第２面１５２ｂの面積よりも小さいため、右側壁面第１面１５１ａおよび左側壁面第１面１５２ａの傾斜角度θ４が土質改良材の流れに与える影響は、右側壁面第２面１５１ｂおよび左側壁面第２面１５２ｂの傾斜角度θ５が土質改良材の流れに与える影響よりも小さい。したがって、シュート１５０では、上述したシュート１００に比べて、土質改良材の流れが悪い。
【００３９】
なお、図１１〜１４から明らかなように、右側壁面第１面１５１ａおよび右側壁面第２面１５１ｂの面積を求める際の底辺に相当する右側壁面稜線１５１ｃは共通し、高さに相当する右側壁面稜線１５１ｃから対角までの距離は明らかに右側壁面第１面１５１ａの方が短い。そのため、右側壁面第１面１５１ａの面積は、右側壁面第２面１５１ｂの面積よりも小さくなる。右側壁面１５１と対称となる左側壁面１５２についても同様である。
【００４０】
図１６，１７に示すように、シュート１００，１５０では、土質改良材が下流側壁面１３３に沿って流れる（図示矢印ａ）とともに、スクリューフィーダ２２による搬送方向にも流れる（図示矢印ｂ）。そのため、この２つの流れが下部第３辺１２３近傍で対向する。シュート１００とシュート１５０とを比較すると、上述したように、シュート１００では、各壁面１３１，１３２をシュート１００の外側に向かって折り曲げ、シュート１５０では、各壁面１５１，１５２をシュート１５０の内側に向かって折り曲げている。そのため、シュート１００の下流側壁面１３３と右側壁面１３１（右側壁面第１面１３１ａ）および左側壁面１３２（左側壁面第１面１３２ａ）とがなす角度θ６は、シュート１５０の下流側壁面１３３と右側壁面１５１（右側壁面第２面１５１ｂ）および左側壁面１５２（左側壁面第２面１５２ｂ）とがなす角度θ７よりも大きい。
【００４１】
したがって、シュート１００では、下流側壁面１３３と右側壁面１３１および左側壁面１３２とが交わる隅の部分における土質改良材の圧密が、シュート１５０に比べて発生しにくくなり、土質改良材が円滑にスクリューフィーダ２２に供給される。また、上述したように、シュート１００では、各壁面１３１，１３２を外側に向かって折り曲げ、シュート１５０では、各壁面１５１，１５２を内側に向かって折り曲げているので、シュートの容量はシュート１００の方が大きい。なお、シュート１００では、各壁面１３１，１３２を外側に向かって折り曲げているので、シュート１００の下流側壁面１３３と右側壁面１３１（右側壁面第１面１３１ａ）および左側壁面１３２（左側壁面第１面１３２ａ）とがなす角度θ６は、鈍角となる。
【００４２】
換言すると、シュート１００は、以下の特徴を備えている。すなわち、シュート１００は、上方に形成された略方形の略水平の上部開口１１０ａを有する導入部１１０を備える。シュート１００は、導入部１１０よりも下方でスクリューフィーダ２２の搬送方向に延在して互いに対向する下部第１辺１２１および下部第２辺１２２と、下部第１辺１２１および下部第２辺１２２の両端のうちスクリューフィーダ２２の搬送方向前方に位置する一方端同士を結ぶ下部第３辺１２３とを含む辺から形成される導出部１２０を備える。シュート１００は、下部第１辺１２１を含んで導入部１１０と導出部１２０とを繋ぐ右側壁面１３１と、  下部第２辺１２２を含んで導入部１１０と導出部１２０とを繋ぐ左側壁面１３２と、下部第３辺１２３を含んで導入部１１０と導出部１２０とを繋ぐ下流側壁面１３３とを備える。
【００４３】
右側壁面１３１は、下部第１辺１２１を含む右側壁面第１面１３１ａと、右側壁面第１面１３１ａと交差するように延在する右側壁面第２面１３１ｂとを含み、右側壁面第１面１３１ａと右側壁面第２面１３１ｂとによってシュート１００の外側に向かって突出するように形成されている。左側壁面１３２は、下部第２辺１２２を含む左側壁面第１面１３２ａと、左側壁面第１面１３２ａと交差するように延在する左側壁面第２面１３２ｂとを含み、左側壁面第１面１３２ａと左側壁面第２面１３２ｂとによってシュート１００の外側に向かって突出するように形成されている。
【００４４】
右側壁面稜線１３１ｃは、下部第１辺１２１の両端のうち導入部１１０から遠い他方端近傍から下流側壁面１３３の側の導入部１１０近傍に向かって延在している。左側壁面稜線１３２ｃは、下部第２辺１２２の両端のうち導入部１１０から遠い他方端近傍から下流側壁面１３３の側の導入部１１０近傍に向かって延在している。右側壁面第１面１３１ａおよび左側壁面第１面１３２ａの傾斜角度は、右側壁面第２面１３１ｂおよび左側壁面第２面１３２ｂの傾斜角度よりも小さい。右側壁面第１面１３１ａおよび左側壁面第１面１３２ａの面積は、右側壁面第２面１３１ｂおよび左側壁面第２面１３２ｂの面積よりも小さい。
【００４５】
また、シュート１００は、以下の特徴を備えているともいえる。すなわち、シュート１００は、四方を取り囲むように形成された右側壁面１３１、左側壁面１３２、下流側壁面１３３、上流側壁面１３４を有し、これらの４つの壁面に傾斜を持たせ、上方の導入部１１０の開口面積に対して下方の導出部１２０の開口面積が小となるように設定している。この４つの壁面のうち右側壁面１３１および左側壁面１３２は、車体の幅方向側に設けられた一対の壁面であり、下流側壁面１３３および上流側壁面１３４は、車体の前後方向側に設けられた一対の第２の壁面である。右側壁面１３１および左側壁面１３２は、右側壁面第１面１３１ａおよび左側壁面第１面１３２ａと、右側壁面第１面１３１ａおよび左側壁面第１面１３２ａと比較して傾斜角度が大きく設定された右側壁面第２面１３１ｂおよび左側壁面第２面１３２ｂとによって構成されている。
【００４６】
右側壁面第１面１３１ａおよび左側壁面第１面１３２ａを下流側壁面１３３と隣接する位置に設け、互いの面のなす角度が鈍角となるように下流側壁面１３３と右側壁面第１面１３１ａおよび左側壁面第１面１３２ａとの境界を形成している。この境界を第１の境界線と呼ぶ。右側壁面第２面１３１ｂおよび左側壁面第２面１３２ｂを上流側壁面１３４と隣接する位置に設け互いの面との境界を形成している。この境界を第２の境界線と呼ぶ。第１の境界線の上端から第２の境界線の下端にかけて延びる右側壁面稜線１３１ｃおよび左側壁面稜線１３２ｃが右側壁面第１面１３１ａおよび左側壁面第１面１３２ａと右側壁面第２面１３１ｂおよび左側壁面第２面１３２ｂとの第３の境界線を形成している。右側壁面第２面１３１ｂおよび左側壁面第２面１３２ｂを、前右側壁面第１面１３１ａおよび左側壁面第１面１３２ａに対し面積比率が大となるように設定している。第２および第３の境界線の一端は、シュート１００の下部に接続されたスクリューフィーダ２２の導入口における上流側に臨む位置に設けられており、かつ前記第２および第３の境界線の他端は、シュート１００の導入部１１０に臨む位置に設けられている。
【００４７】
上述した自走式土質改良機では、次の作用効果を奏する。
（１）  上部開口１１０ａと下部開口１２０ａとが平行ではないシュート１００において、右側壁面１３１および左側壁面１３２をシュート１００の外側に向かって折り曲げることで形成される二つの平面で構成した。これにより、従来のシュートのように立ち上がり部を設ける必要がなくなるので、シュート全体の高さを抑えることができ、ひいては、自走式土質改良機の全高を低くできる。そして、シュート１００の壁面の傾斜角度を確保しつつも、上部開口１１０ａの径が小さくならないので、シュート１００上のホッパ２１の径を小さくする必要がなく、必要なホッパ容量を確保できる。また、シュート１００では、各壁面１３１，１３２を外側に向かって折り曲げているので、上述したシュート１５０のように各壁面１５１，１５２を内側に向かって折り曲げている場合と比べて、シュート自体の容量もシュート１５０と比べて大きくできる。さらに、シュートの壁面の傾斜角度を大きく取ることができるので、土質改良材の流れが良好となる。
【００４８】
（２）  上部開口１１０ａが水平となるようにシュート１００を設置しているので、シュート１００の上部に設置されるホッパ２１を傾斜させることなく設置でき、ホッパ２１が傾斜して設置された場合と比べて、ホッパ２１内に土質改良材を効率的に貯留できるので、ホッパの容量を有効に利用できる。
【００４９】
（３）  シュート１００の下部にスクリューフィーダ２２を配設し、このスクリューフィーダ２２を、その土質改良材の移送方向（図１中左方向）に上り傾斜として、その移送方向上流側（図１中右側）が下方の空間に入り込むよう、移送方向下流側（図１中左側）に対して低くなるように配設した。これにより、仮にスクリューフィーダ２２を水平に設けた場合と比べて、土質改良材供給装置２０の高さを低くでき、その分、自走式土質改良機の全高を低減することができる。
【００５０】
（４）  右側壁面１３１および左側壁面１３２の延在方向に沿って、下流側壁面１３３側に向かって土質改良材がスクリューフィーダ２２で搬送されるように構成した。上述したように、シュート１００の下流側壁面１３３と各壁面１３１，１３２とがなす角度θ６は、シュート１５０の下流側壁面１３３と各壁面１５１，１５２とがなす角度θ７よりも大きい。したがって、シュート１００では、下流側壁面１３３と各壁面１３１，１３２とが交わる隅の部分における土質改良材の圧密が、上述したシュート１５０のような形状のシュートに比べて発生しにくくなり、土質改良材が円滑にスクリューフィーダ２２に供給される。
【００５１】
（５）  右側壁面第１面１３１ａの面積が、右側壁面第２面１３１ｂの面積よりも小さくなるように構成した。また、左側壁面第１面１３２ａの面積が、左側壁面第２面１３２ｂの面積よりも小さくなるように構成した。したがって、右側壁面１３１および左側壁面１３２では、壁面の傾斜角度が大きい右側壁面第２面１３１ｂおよび左側壁面第２面１３２ｂが占める割合が大きくなるので、土質改良材の流れが良好となる。
【００５２】
−−−変形例−−−
（１）  上述の説明では、右側壁面１３１および左側壁面１３２が直接下流側壁面１３３や上流側壁面１３４と交差するように構成されているが、本発明はこれに限定されない。たとえば、図１８，１９に示すように、右側壁面１３１および左側壁面１３２と下流側壁面１３３とを曲面１６１，１６２で接続するように構成し、右側壁面１３１および左側壁面１３２と上流側壁面１３４とを曲面１７１，１７２で接続するように構成してもよい。なお、図１８は、このようにシュート１００に曲面１６１，１６２，１７１，１７２を設けた土質改良材供給装置２０の側面図であり、図１９は、図１８のＶ−Ｖ矢視図である。
【００５３】
（２）  上述の説明では、図６に示すように、下流側壁面１３３と上流側壁面１３４とでは傾斜角度が異なっているが、本発明はこれに限定されない。たとえば、図２０に示すように、下流側壁面１３３および上流側壁面１３４の傾斜角度が同等となるようにしてもよい。
【００５４】
（３）  上述の説明では、右側壁面１３１および左側壁面１３２の双方をシュート１００の外側に向かって折り曲げるように構成したが、本発明はこれに限定されない。たとえば、右側壁面１３１および左側壁面１３２のいずれか一方だけをシュート１００の外側に向かって折り曲げるようにしてもよい。
【００５５】
（４）  上述の説明では、上部開口１１０ａが平行となるようにシュート１００を設置しているが、本発明はこれに限定されず、上部開口１１０ａが平行でなくてもよい。
【００５６】
（５）  上述の説明では、シュート１００の下部にスクリューフィーダ２２を取り付けているが、本発明はこれに限定されない。たとえば、シュート１００の下部開口１２０ａとスクリューフィーダ２２との間に粉流体用の仕切り弁などを設けてもよい。すなわち、シュート１００の下部に直接スクリューフィーダ２２などの搬送装置（定量供給装置）を取り付けなくてもよい。なお、シュート１００の下流側に設置する搬送装置は、スクリューフィーダ２２に限定されず、たとえば振動フィーダなどのように、水平方向や斜め上または斜め下方向に土質改良材を搬送可能な装置であってもよい。
【００５７】
（６）  上述の説明では、自走式土質改良機について説明したが、本発明は、自走式土質改良機に限定されず、自走式土質改良機以外の他の自走式リサイクル機械にも適用できる。たとえば、図２１に示すように、自走式スクリーンに本発明を適用してもよい。図２１に示す自走式スクリーンは、自走式土質改良機と同様に、走行体１と、本体フレーム３と、排出コンベア８４と、動力装置８６とを備えている。また、自走式スクリーンは、スクリーン４０と、シュート１００ａとを備えている。
【００５８】
スクリーン４０は、投入される被処理物（たとえば土砂）を粒度に応じて選別する装置であり、所定の目開きの格子と、スクリーン４０を加振する駆動装置４２と備えている。スクリーン４０は、後述するベース７０を介して本体フレーム３に振動可能に支持され、自走式スクリーンの後方に位置している。動力装置８６の不図示の油圧ポンプからの圧油で駆動される駆動装置４２によってスクリーン４０を振動させることにより、投入された被処理物のうち、格子の目開きよりも大きな処理物が除去されて自走式スクリーンの後方に排出され、小さな処理物が下方へ導かれる。
【００５９】
ベース７０は、本体フレーム３に対して傾斜角度を変更可能に構成された支持部材であり、スクリーン４０を支持している。ホッパ１００ａは、上述した自走式土質改良機のシュート１００と同様の構造であり、スクリーン４０の下方に設けられている。スクリーン４０の下方に導かれた小さな処理物は、シュート１００ａによって排出コンベア８４の搬送方向下流側（図示左側）のコンベアベルト上に導かれ、排出コンベア８４によって搬送方向上流側（図示右側）に搬送される。
【００６０】
図２２は、スクリーン４０およびシュート１００ａ近傍の側面図である。１０１は、シュート１００の右側壁面１３１に相当する右側壁面である。なお、右側壁面１０１は、排出コンベア８４の搬送方向に向かって見たときに右側となる壁面である。１０１ａは、シュート１００の右側壁面第１面１３１ａに相当する右側壁面第１面である。１０１ｂは、シュート１００の右側壁面第２面１３１ｂに相当する右側壁面第２面である。１０１ｃは、シュート１００の右側壁面稜線１３１ｃに相当する右側壁面稜線である。
【００６１】
（７）  上述の説明では、ホッパ１５の上方に篩装置１２を配設しているが、篩装置１２は必須ではない。すなわち、篩装置１２を省略し、ホッパ１５により直接改質対象土砂を受け入れ、混合装置７３に導入するようにしてもよい。篩装置１２を設けた場合に、比較的大量な土質改良材添加量が要求される土砂を改質対象とすると、格子１２Ａ（図２参照）に土砂が引っ掛かったり、付着成長したりする等して目詰まりが生じ、土質改良作業の円滑性を阻害する可能性がある。つまり、篩装置１２を省略したことにより、大量の土質改良材を精度良く土砂に供給することができるようになった利点を生かし、比較的大量な土質改良材添加量が要求される土砂を改質対象とした土質改良作業を効率良く行うことができる。また、図２３に示すように、土砂を受け入れるホッパ１５を、上述したシュート１００と同様に形成してもよい。１５０１は、シュート１００の右側壁面１３１に相当する右側壁面である。なお、右側壁面１５０１は、搬送コンベア１６の搬送方向に向かって見たときに右側となる壁面である。１５０１ａは、シュート１００の右側壁面第１面１３１ａに相当する右側壁面第１面である。１５０１ｂは、シュート１００の右側壁面第２面１３１ｂに相当する右側壁面第２面である。１５０１ｃは、シュート１００の右側壁面稜線１３１ｃに相当する右側壁面稜線である。
【００６２】
（８）  上述の説明では、履帯７を有するいわゆるクローラ式の走行装置２を備える自走式土質改良機を例にとって説明してきたが、これに限られず、たとえばいわゆるホイール式の走行体を備える自走式土質改良機としても良い。
（９）  上述した各実施の形態および変形例は、それぞれ組み合わせてもよい。
【００６３】
上述の実施の形態およびその変形例において、たとえば、処理装置は混合装置７３に、
搬送装置はスクリューフィーダ２２にそれぞれ対応する。なお、以上の説明はあくまで一例であり、発明を解釈する際、上記の実施形態の記載事項と特許請求の範囲の記載事項の対応関係になんら限定も拘束もされない。
【図面の簡単な説明】
【００６４】
【図１】自走式土質改良機の全体構造を表す側面図である。
【図２】自走式土質改良機の全体構造を表す上面図である。
【図３】土質改良材供給装置２０の側面図である。
【図４】図３のＩＶ−ＩＶ矢視図である。
【図５】シュート１００の斜視図である。
【図６】シュート１００の側面図である。
【図７】シュート１００の底面図である。
【図８】図６のＡ矢視断面図である。
【図９】従来のシュートの側面図である。
【図１０】図９のＢ矢視断面図である。
【図１１】シュート１５０を上方から見た平面図である。
【図１２】シュート１５０の斜視図である。
【図１３】シュート１５０の側面図である。
【図１４】シュート１５０の底面図である。
【図１５】図１３のＣ矢視断面図である。
【図１６】シュート１００における土質改良材の流れを示す図である。
【図１７】シュート１５０における土質改良材の流れを示す図である。
【図１８】変形例を示す図である。
【図１９】変形例を示す図である。
【図２０】変形例を示す図である。
【図２１】変形例を示す図である。
【図２２】変形例を示す図である。
【図２３】変形例を示す図である。
【符号の説明】
【００６５】
２０  土質改良材供給装置                    ２１  ホッパ
２２  スクリューフィーダ                    １００  シュート
１１０  導入部                              １１０ａ  上部開口
１２０  導出部                              １２０ａ  下部開口
１２１  下部第１辺                          １２２  下部第２辺
１２３  下部第３辺                          １３１  右側壁面
１３１ａ  右側壁面第１面                    １３１ｂ  右側壁面第２面
１３１ｃ  右側壁面稜線                      １３２  左側壁面
１３２ａ  左側壁面第１面                    １３２ｂ  左側壁面第２面
１３２ｃ  左側壁面稜線                      １３３  下流側壁面
【図１】
2010070986.tif 000003
【図２】
2010070986.tif 000004
【図３】
2010070986.tif 000005
【図４】
2010070986.tif 000006
【図５】
2010070986.tif 000007
【図６】
2010070986.tif 000008
【図７】
2010070986.tif 000009
【図８】
2010070986.tif 000010
【図９】
2010070986.tif 000011
【図１０】
2010070986.tif 000012
【図１１】
2010070986.tif 000013
【図１２】
2010070986.tif 000014
【図１３】
2010070986.tif 000015
【図１４】
2010070986.tif 000016
【図１５】
2010070986.tif 000017
【図１６】
2010070986.tif 000018
【図１７】
2010070986.tif 000019
【図１８】
2010070986.tif 000020
【図１９】
2010070986.tif 000021
【図２０】
2010070986.tif 000022
【図２１】
2010070986.tif 000023
【図２２】
2010070986.tif 000024
【図２３】
2010070986.tif 000025